(57)【要約】【課題】  本発明は、電池蓋３に対して力Ｐ又はＱが加えられた場合でも取付状態を強固に保持し得ると共に当該電池蓋３に対する強度を向上する。【解決手段】  本発明は、電池蓋３の開閉方向とは直交する垂直方向に向かって当該電池蓋３の接続部２２がキャビネット２Ａの一部にねじ２１で取り付け固定されているため、電池蓋３に対する力Ｐ又はＱの垂直方向とねじ２１の回転方向とが同調することがないので取付固定状態が緩むことなく強固に保持し得ると共に、電池蓋３がキャビネット２Ａの一部に直接取り付けられているので強度的にも向上することができる。【選択図】        図３
2006032215.tif 000002
【特許請求の範囲】
【請求項１】
筐体の電池収納部に収納される電池の蓋として用いられる開閉自在な電池蓋と、
上記電池蓋とヒンジ部を介して機械的に接続され、当該電池蓋を上記筐体の一部に取り付けるための接続部と、
上記接続部を上記筐体の一部に取り付け固定するねじと
を具え、
上記電池蓋の開閉方向とは直交する垂直方向に向かって上記接続部と上記筐体の一部とが上記ねじにより取り付け固定される
ことを特徴とする電池蓋機構。
【請求項２】
上記接続部は、上記筐体の一部に上記ねじで取り付け固定された箇所よりも上記筐体の内側部分において当該接続部の突起部分と上記筐体内部の回路基板とが電気的に接続されている
ことを特徴とする請求項１に記載の電池蓋機構。
【請求項３】
上記接続部は、上記ねじと当該接続部の突起部分とが同一直線上に配置されていない
ことを特徴とする請求項２に記載の電池蓋機構。
【請求項４】
筐体の電池収納部に収納された電池によって動作する電子機器であって、
上記電池収納部に収納される上記電池の蓋として用いられる開閉自在な電池蓋と、
上記電池蓋とヒンジ部を介して機械的に接続され、当該電池蓋を上記筐体の一部に取り付けるための接続部と、
上記接続部を上記筐体の一部に取り付け固定するねじと
を具え、
上記電池蓋の開閉方向とは直交する垂直方向に向かって上記接続部と上記筐体の一部とが上記ねじにより取り付け固定される
を具えることを特徴とする電子機器。
【請求項５】
上記接続部は、上記筐体の一部に上記ねじで取り付け固定された箇所よりも上記筐体の内側部分において当該接続部の突起部分と上記筐体内部の回路基板とが電気的に接続されている
ことを特徴とする請求項４に記載の電子機器。
【請求項６】
上記接続部は、上記ねじと当該接続部の突起部分とが同一直線上に配置されていない
ことを特徴とする請求項５に記載の電子機器。
【発明の詳細な説明】
【技術分野】
【０００１】
本発明は、電池蓋機構及び電子機器に関し、例えばポータブルミニディスクプレーヤ等に設けられた開閉式の電池蓋に関するものである。
【背景技術】
【０００２】
従来、図８（Ａ）及び（Ｂ）に示すようにポータブルミニディスクプレーヤ１においては、下側筐体でなる本体ケース２の周側面の所定位置に例えば充電式ニッケル水素電池（図示せず）を装着又は脱着するための開閉式の電池蓋３を有する電池蓋機構１０が搭載されている。
【０００３】
図９（Ａ）及び（Ｂ）に示すように、電池蓋機構１０では電池蓋３の裏面側に充電式ニッケル水素電池（以下、これを電池と呼ぶ）の正極と接続するための薄板状の電池用端子４が一体に取り付けられており、当該電池用端子４の電極部４Ａが電池の正極と接触するようになされている。
【０００４】
また電池蓋機構１０では、電池蓋３の電池用端子４に加えて、本体ケース２内部の回路基板（図示せず）と電気的に接続するための薄板状の接続部１１を有しており、当該電池用端子４及び接続部１１における互いの断面コ字状でなる勘合部４Ｂ及び１１Ｂとが嵌め合わせられた状態で当該勘合部４Ｂ及び１１Ｂに挿通された軸１２を介して両者が回動自在に取り付けられる。
【０００５】
これにより電池蓋機構１０は、電池用端子４と一体化された電池蓋３が軸１２を中心として回動自在に動き、本体ケース２に対して当該電池蓋３が開閉するようになされている。なお電池蓋３には、接続部１１の所定位置にねじ穴１１Ａが形成されており、当該ねじ穴１１Ａを介して接続部１１が本体ケース２内部でねじによって取り付け固定される。
【０００６】
このような電池蓋機構１０は、図１０に示すように本体ケース２内部の樹脂製でなる電池ケース７の電池用端子取付部材７Ａに接続部１１が先端方向から差し込まれた状態で、ねじ穴１１Ａを介してねじ８により当該電池用端子取付部材７Ａに取り付け固定され、本体ケース２のキャビネット２Ａから外側に電池蓋３だけが露出した状態で軸１２を介して当該電池蓋３が開閉自在に回動することにより、電池ケース７に電池を収納したり、当該電池ケース７から電池を脱着し得るようになされている。
【０００７】
また電池蓋機構１０では、接続部１１の先端に設けられた突起部５が回路基板６とはんだ付けされることにより、電池から電池蓋機構１０を介して回路基板６へ電力の供給を行うことにより当該ポータブルミニディスクプレーヤ１を動作させるようになされている。
【０００８】
一方、電子機器に用いられる電池用端子としては、従来から電池の正極と当接するための突起が設けられたヒンジと、プリント基板とがヒンジ軸、ベース板及びねじを介してネジ止めされる構造のものがある（例えば、特許文献１、図１４参照）。
【特許文献１】特開2002-33089公報
【発明の開示】
【発明が解決しようとする課題】
【０００９】
ところでかかる構成の電池蓋３においては、図１１に示すように当該電池蓋３が軸１２を中心として回動する場合には問題とはならないが、軸１２の回動方向とは直交する太矢印Ｐ方向又はＱ方向に力が加えられた場合、その力はねじ８を支点とした回転力として働く。
【００１０】
この回転力は、ねじ８のねじ締め方向又はねじ緩み方向と同調するために当該ねじ８が緩みやすく、そのねじ８の延長戦上にある接続部１１における突起部５のはんだが回路基板６から剥離して電極部４Ａと回路基板６との導通状態を維持し得なくなるという問題があった。
【００１１】
また、特許文献１の電池用端子においては、ヒンジに対して上方向からの力が加えられた場合、ねじを支点としてプリント基板からベース板が外れる方向へ力が働き、当該プリント基板から当該ベース板が剥離されることになってヒンジとプリント基板との導通状態が保持できなくなるという問題があった。
【００１２】
本発明は以上の点を考慮してなされたもので、電池蓋に対して想定していない方向からの力が加えられた場合であっても取付状態を強固に保持し得ると共に従来に比して当該電池蓋に対する強度を向上し得る電池蓋機構を提案しようとするものである。
【課題を解決するための手段】
【００１３】
かかる課題を解決するため本発明においては、筐体の電池収納部に収納される電池の蓋として用いられる開閉自在な電池蓋と、電池蓋とヒンジ部を介して機械的に接続され、当該電池蓋を筐体の一部に取り付けるための接続部と、当該接続部を筐体の一部に取り付け固定するねじとを具え、電池蓋の開閉方向とは直交する垂直方向に向かって接続部と筐体の一部とがねじにより取り付け固定されるようにする。
【００１４】
この電池蓋機構では、電池蓋の開閉方向とは直交する垂直方向に向かって当該電池蓋の接続部が筐体の一部にねじで取り付け固定されているため、電池蓋に対する力の垂直方向とねじの回転方向とが同調することがないので取付固定状態が緩むことなく強固に保持し得ると共に、電池蓋が筐体の一部に直接取り付けられているので従来に比して強度的にも向上することができる。
【発明の効果】
【００１５】
本発明によれば、電池蓋の開閉方向とは直交する垂直方向に向かって当該電池蓋の接続部が筐体の一部にねじで取り付け固定されているため、電池蓋に対する力の垂直方向とねじの回転方向とが同調することがないので取付固定状態が緩むことなく強固に保持し得ると共に、電池蓋が筐体の一部に直接取り付けられているので従来に比して強度的にも向上し得る電池蓋機構及び電子機器を実現できる。
【発明を実施するための最良の形態】
【００１６】
以下、図面について、本発明の一実施の形態を詳述する。
【００１７】
（１）電池蓋機構の原理
図１１との対応部分に同一符号を付して示す図１において、２０は全体として本発明の特徴を表した電池蓋機構を示し、ポータブルミニディスクプレーヤ１（図８）に取り付けられた状態で使用されるものである。
【００１８】
電池蓋機構２０においても電池蓋機構１０（図１１）と同様に、電池蓋３の裏面側に電池の正極と接触するための薄板状の電池用端子４が一体に取り付けられている。
【００１９】
また電池蓋機構２０は、電池蓋３の電池用端子４に加えて、本体ケース２内部の回路基板６と電気的に接続するための薄板状の接続部２２を有しており、当該電池用端子４及び接続部２２における互いの断面コ字状でなる勘合部４Ｂ及び２２Ｂとが嵌め合わせられた状態で当該勘合部４Ｂ及び２２Ｂに挿通された軸１２を介して両者が回動自在に取り付けられている。
【００２０】
これにより電池蓋機構２０は、電池用端子４と一体化された電池蓋３が軸１２を中心として回動自在に動き、本体ケース２に対して当該電池蓋３が開閉するようになされている。
【００２１】
ところで電池蓋機構２０は、従来の電池蓋機構１０（図１０）のように本体ケース２内部の樹脂製でなる電池ケース７の電池用端子取付部材７Ａに対してねじ止めされるのではなく、本体ケース２の一部にねじ２１で直接取り付け固定されている。
【００２２】
この接続部２２では、当該接続部２２の先端方向へ向かって薄板状に形成された薄板状部分２２Ａのねじ穴を介して、本体ケース２の一部に対してねじ２１で直接取り付け固定される。
【００２３】
この場合の電池蓋機構２０では、本体ケース２の一部に接続部２２を直接ねじ止めしているだけではなく、回路基板６に接続部２２を取り付けることがないようにしている。但し、接続部２２の突起部２３と回路基板６とがはんだ付けされることにより、電池用端子４と接続部２２との導通を図り、電池から回路基板６へ電力を供給し得るようになされている。
【００２４】
また電池蓋機構２０では、太矢印Ｐ方向又はＱ方向の力が電池蓋３に加えられたときであっても、接続部２２が電池蓋３の回動方向と直交する垂直方向に対してねじ２１でねじ止めされているので、力の働く太矢印Ｐ方向又はＱ方向とねじ２１の回転方向とが同調することはなく、当該太矢印Ｐ方向又はＱ方向の力によってねじ２１が緩むことを確実に防止し得るようになされている。
【００２５】
さらに、このとき電池蓋機構２０はねじ２１を用いて接続部２２を本体ケース２の一部に直接取り付け固定すると共に、回路基板６に対しては突起部２３のはんだ付け以外なんら機械的に接続することがないようにしたことにより、太矢印Ｐ方向又はＱ方向の力がねじ２１に影響を与えることはあっても回路基板６に対しては何ら影響を与えることがないように考慮されている。
【００２６】
さらに電池蓋機構２０は、接続部２２の薄板状部分２２Ｂを本体ケース２の一部に直接ねじ止めするようにしたことにより、電池蓋３に対して太矢印Ｐ方向又はＱ方向の力が加えられたときにその力が直接ねじ２１に働くのではなく、最初に薄板状部分２２Ｂを撓ませた後にねじ２１に働くことになるので、従来に比較して当該太矢印Ｐ方向又はＱ方向の力がねじ２１及び回路基板６に直接影響を及ぼすことを回避して当該影響を最小限に抑制し得るようになされている。
【００２７】
これにより電池蓋機構２０は、ねじ２１及び突起部２３に与える影響を従来に比して最小限にすることができるので、当該突起部２３と回路基板６との間のはんだが剥離されてしまうことを一層確実に防止し得るようになされている。
【００２８】
（２）電池蓋機構の具体的構成
（２−１）電池蓋機構における第１の具体的構成
図９との対応部分に同一符号を付して示す図２（Ａ）及び（Ｂ）に示すように電池蓋機構２０は、電池用端子４及び軸１２の構造は同一であるが、接続部２２が接続部１１とは異なる構造であることを特徴としている。
【００２９】
すなわち接続部２２は、その下端部分に電池用端子４とはほぼ９０度折り曲げられた状態の薄板状部分２２Ａが形成され、当該薄板状部分２２Ａの所定位置にねじ８で本体ケース２の一部に直接取り付け固定するためのねじ穴２２Ｃが設けられると共に、薄板状部分２２Ａの先端に回路基板６と電気的に接続させるための突起部２３が当該薄板状部分２２Ａの延長線とほぼ直角に折り曲げられた先端位置に形成されている。
【００３０】
従って図３に示すように、この電池蓋機構２０がポータブルミニディスクプレーヤ１に取り付けられた状態では、本体ケース２におけるキャビネット２Ａの一部に取り付け固定されたねじ２１が電池蓋３の長手方向における延長戦上には位置するものの、電池用端子４とは約９０度折り曲げられた薄板状部分２２Ａに対してねじ止めされることになるので、電池蓋３に対して太矢印Ｐ方向又はＱ方向（垂直方向）の力が加えられた場合でも、その力の方向がねじ２１を取り付けるときの回転方向と同調することがなく当該ねじ２１の緩みに影響することは殆どない。
【００３１】
また電池蓋機構２０は、ねじ２１を介して接続部２２の薄板状部分２２Ａがキャビネット２Ａの一部に直接取り付け固定されているので、電池蓋３に対して太矢印Ｐ方向又はＱ方向の力が加えられた場合でも、その力が当該薄板状部分２２Ａの撓みによって吸収し当該ねじ２１の緩みに影響することを２重に防止している。
【００３２】
さらに電池蓋機構２０では、回路基板６と電気的に接続された突起部２３が電池蓋３とねじ２１との延長戦上には位置しないことにより、電池蓋３に対して太矢印Ｐ方向又はＱ方向に与えられる力の影響がねじ２１に及ぼされるとしても、突起部２３には及び難く当該突起部２３と回路基板６との間のはんだが剥離することを未然に回避し得るようになされている。
【００３３】
（２−２）電池蓋機構における第２の具体的構成
図２との対応部分に同一符号を付して示す図４（Ａ）及び（Ｂ）に示すように電池蓋機構３０は、電池用端子４及び軸１２の構造は同一であるが、接続部３２が接続部２２（図１）とは異なる構造であることを特徴としている。
【００３４】
すなわち接続部３２では、その下端部分に電池用端子４とはほぼ９０度折り曲げられた状態で、かつ電池用端子４の延長戦上ではなく略平行する位置に薄板状部分３２Ｂが形成され、当該薄板状部分３２Ａの所定位置にねじ穴３２Ｃが設けられると共に、薄板状部分３２Ａの先端に回路基板６と電気的に接続させるための突起部３３が当該薄板状部分３２Ａの延長線とほぼ直角に折り曲げられた先端位置に形成されている。
【００３５】
従って図５に示すように、この電池蓋機構３０がポータブルミニディスクプレーヤ１に取り付けられた状態では、本体ケース２におけるキャビネット２Ａの一部に直接取り付け固定されたねじ２１が電池蓋３の長手方向における延長戦上には位置せず、かつ電池用端子４とは約９０度折り曲げられた薄板状部分３２Ａに対してねじ止めされることになるので、電池蓋３に対して太矢印Ｐ方向又はＱ方向の力が加えられた場合でも力の方向がねじ２１を取り付けるときの回転方向と同調することがなく当該ねじ２１の緩みに影響することは殆どない。
【００３６】
また電池蓋機構３０は、ねじ２１を介して接続部３２の薄板状部分３２Ａがキャビネット２Ａの一部に直接取り付け固定されているので、電池蓋３に対して太矢印Ｐ方向又はＱ方向の力が加えられた場合でも、その力が当該薄板状部分３２Ａの撓みによって吸収し当該ねじ２１の緩みに影響することを２重に防止している。
【００３７】
さらに電池蓋機構３０では、回路基板６と電気的に接続された突起部３３が電池蓋３とねじ２１との延長戦上には位置しないことにより、電池蓋３に対して太矢印Ｐ方向又はＱ方向に与えられる力の影響がねじ２１に及ぼされるとしても、突起部３３には及び難く当該突起部３３と回路基板６との間のはんだが剥離することを未然に回避し得るようになされている。
【００３８】
（２−３）電池蓋機構における第３の具体的構成
図２との対応部分に同一符号を付して示す図６に示すように電池蓋機構４０は、電池用端子４及び軸１２の構造は同一であるが、接続部４２が接続部２２とは異なる構造であることを特徴としている。
【００３９】
すなわち接続部４２では、その下端部分に電池用端子４とはほぼ９０度折り曲げられた状態で、略Ｓ字状の薄板状部分４２Ａが形成され、当該薄板状部分４２Ａの所定位置にキャビネット２Ａの一部に直接取り付け固定するためのねじ穴４２Ｃが設けられると共に、薄板状部分４２Ａの先端に回路基板６と電気的に接続させるための突起部４３が電池蓋３の長手方向における延長線と略平行する位置に形成されている。
【００４０】
従って図７に示すように、この電池蓋機構４０がポータブルミニディスクプレーヤ１に取り付けられた状態では、キャビネット２Ａの一部に直接取り付け固定されたねじ２１が電池蓋３の長手方向における延長戦上には位置せず、かつ電池用端子４とは約９０度折り曲げられた薄板状部分４２Ａに対してねじ止めされることになるので、電池蓋３に対して太矢印Ｐ方向又はＱ方向の力が加えられた場合でも当該力の方向がねじ２１を取り付けるときの回転方向と同調することがなく当該ねじ２１の緩みに影響することは殆どない。
【００４１】
また電池蓋機構４０は、ねじ２１を介して接続部４２の薄板状部分４２Ａがキャビネット２Ａの一部に直接取り付け固定されているので、電池蓋３に対して太矢印Ｐ方向又はＱ方向の力が加えられた場合でも、その力が当該薄板状部分４２Ａの撓みによって吸収し当該ねじ２１の緩みに影響することを２重に防止している。
【００４２】
さらに電池蓋機構４０では、回路基板６と電気的に接続された突起部４３が電池蓋３とねじ２１との延長戦上には位置しないことにより、電池蓋３に対して太矢印Ｐ方向又はＱ方向に与えられる力の影響がねじ２１に及ぼされるとしても、突起部４３には及び難く当該突起部４３と回路基板６との間のはんだが剥離することを未然に回避し得るようになされている。
【００４３】
（３）動作及び効果
以上の構成において、電池蓋機構２０、３０及び４０では電池蓋３の開閉方向とは直交する垂直方向に向かって、ねじ２１を介して薄板状部分２２Ａ、３２Ａ及び４２Ａを本体ケース２におけるキャビネット２Ａの一部に直接取り付けるようにしたことにより、電池蓋３に対して太矢印Ｐ方向又はＱ方向から与えられる力の影響がねじ２１に及ぼすことを防止して取付固定状態を強固に保持することができる。
【００４４】
また電池蓋機構２０、３０及び４０では、電池蓋３の長手方向における延長戦上に突起部２３、３３及び４３が位置することを回避して当該突起部４３と回路基板６との間のはんだが当該回路基板６から剥離することを未然に防止することができるので、電池用端子４と回路基板６との電気的導通状態を維持することができる
【００４５】
また電池蓋機構２０、３０及び４０では、電池蓋３に対して太矢印Ｐ方向又はＱ方向から力が加えられた場合であっても、その力が薄板状部分２２Ａ、３２Ａ及び４２Ａの撓みによって吸収されるので当該力の影響をねじ２１に及ぼすことを防止して取付固定状態を強固に保持することができる。
【００４６】
以上の構成によれば、電池蓋機構２０、３０及び４０は、電池蓋３の開閉方向とは直交する垂直方向に向かって当該電池蓋３の薄板状部分２２Ａ、３２Ａ及び４２Ａを本体ケース２におけるキャビネット２Ａの一部に直接取り付けたことにより、電池蓋３に対して与えられた力の方向とねじ２１の回転方向とが同調することがなく、電池蓋３と本体ケース２との取付固定状態を強固に保持することができる。
【００４７】
（４）他の実施の形態
なお上述の実施の形態においては、電池蓋機構２０、３０及び４０における薄板状部分２２Ａ、３２Ａ及び４２Ａの所定位置にねじ２１で本体ケース２におけるキャビネット２Ａの一部に直接取り付け固定すると共に、当該ねじ２１の延長戦上ではない位置に突起部２３、３３及び４３が形成されているようにした場合について述べたが、本発明はこれに限らず、薄板状部分２２Ａ、３２Ａ及び４２Ａの撓みによって太矢印Ｐ方向又はＱ方向の力が吸収されて当該力の影響を殆ど取り除くことができる場合は当該ねじ２１の延長戦上に突起部２３、３３及び４３が形成されるようにしてもよい。
【００４８】
また上述の実施の形態においては、電池蓋３と一体に設けられた電池用端子４によって電池ケース７に収納された電池の正極又は負極と電気的かつ機械的に接触するようにした場合について述べたが、本発明はこれに限らず、電池の一端に正極又は負極が存在しないタイプの電池を対象とする場合には電池用端子４が設けられていない電池蓋を用いるようにしても良い。
【００４９】
さらに上述の実施の形態においては、本発明の電池蓋機構２０、３０及び４０をポータブルミニディスクプレーヤ１に搭載して適用するようにした場合について述べたが、本発明はこれに限らず、電池によって動作するポータブルＣＤ(Compact Disc)プレーヤ等のその他種々の電子機器に搭載して適用するようにしても良い。
【産業上の利用可能性】
【００５０】
本発明の電池蓋機構及び電子機器は、例えば電池の蓋を有するポータブル型の電子機器に適用することができる。
【図面の簡単な説明】
【００５１】
【図１】本発明における電池蓋機構の取付構造の説明に供する略線図である。
【図２】電池蓋機構における第１の具体的構成を示す略線図である。
【図３】電池蓋機構が取り付けられたポータブルミニディスクプレーヤ（１）の構造を示す略線図である。
【図４】電池蓋機構における第２の具体的構成を示す略線図である。
【図５】電池蓋機構が取り付けられたポータブルミニディスクプレーヤ（２）の構造を示す略線図である。
【図６】電池蓋機構における第３の具体的構成を示す略線図である。
【図７】電池蓋機構が取り付けられたポータブルミニディスクプレーヤ（３）の構造を示す略線図である。
【図８】ポータブルミニディスクプレーヤにおける電池蓋機構を示す略線図である。
【図９】従来の電池蓋機構を示す略線図である。
【図１０】従来の電池蓋機構が取り付けられたポータブルミニディスクプレーヤの構造を示す略線的斜視図である。
【図１１】従来の電池蓋機構の取付構造を示す略線図である。
【符号の説明】
【００５２】
１……ポータブルミニディスクプレーヤ、２……本体ケース、３……電池蓋、４……
電池用端子、５、２３、３３、４３……突起部、６……回路基板、７……電池ケース、８、１０、２０、３０、４０……電池蓋機構、２１……ねじ、２２、３２、４２……接続部、２２Ａ、３２Ａ、４２Ａ……薄板状部分。
【図１】
2006032215.tif 000003
【図２】
2006032215.tif 000004
【図３】
2006032215.tif 000005
【図４】
2006032215.tif 000006
【図５】
2006032215.tif 000007
【図６】
2006032215.tif 000008
【図７】
2006032215.tif 000009
【図８】
2006032215.tif 000010
【図９】
2006032215.tif 000011
【図１０】
2006032215.tif 000012
【図１１】
2006032215.tif 000013